(57)【要約】【課題】本発明は、潜熱回収型の熱源機を取り替える場合に、ドレン排出系統を形成するために大掛かりな工事を要することなく、さらにドレンの排出及びドレン排出系統の設置により、浴室環境を害することがないドレン排出システムを提供することを目的とした。【解決手段】ドレン排出システムは、主に燃焼ガスの潜熱を回収する熱交換器で発生したドレンを浴室４側に流して排出するシステムで、熱源側ドレン配管１７と、延長ドレン配管１８と、延長ドレン配管１８と接続される排水クロス３とを有する。排水クロス３は、浴槽排水口５３よりも湯水の流れ方向下流側の排水系統に接続されている。これにより、ドレン配管から流れるドレンは、排水クロス３を介して、浴槽排水口５３よりも下流側の排水系統に排出される。【選択図】図１
2012072922.tif 000002
【特許請求の範囲】
【請求項１】
主に燃焼ガスの潜熱を回収する熱交換器で発生したドレンを浴室側に流して排出するドレン排出システムであって、
浴室側にドレンを流すドレン配管と、
前記ドレン配管を浴室側で接続する配管接続手段とを有し、
前記浴室は、湯水を貯留可能な浴槽を有し、当該浴槽内に貯留された湯水は浴槽排水口から排水系統を介して排水されるものであって、
前記配管接続手段は、浴槽排水口よりも湯水の流れ方向下流側の前記排水系統に接続されており、ドレン配管を流れるドレンを前記排水系統に流すものであることを特徴とするドレン排出システム。
【請求項２】
前記浴槽排水口は、排水栓によって湯水の通過が制限され、
前記排水栓は、湯水の流れ方向下流側から力を伝動する排水栓移動手段によって浴槽排水口を開閉可能なものであって、
前記配管接続手段は、浴槽排水口を通過した湯水を前記合流部側に導く流路と、前記流路に連通した少なくとも２つの連通部を有し、前記連通部のうち、いずれか１つは排水栓移動手段が挿通される開口としての機能を果たすものであって、別の１つの連通部をドレン配管が接続されるドレン用の接続部として利用することができることを特徴とする請求項１に記載のドレン排出システム。
【請求項３】
ドレン配管は逆流阻止手段を有し、
逆流阻止手段は、ドレン配管の中途又はドレン配管と配管接続手段との間に配されるものであって、ドレン又は湯水がドレンの流れ方向下流側から上流側に向かって流れることを阻止するものであることを特徴とする請求項１又は２に記載のドレン排出システム。
【発明の詳細な説明】
【技術分野】
【０００１】
本発明は、潜熱回収型の熱交換器において発生するドレンを排出するドレン排出システムに関するものであり、特に浴室に設けられた排水口を利用したドレン排出システムに関する。
【背景技術】
【０００２】
近年、地球の温暖化が深刻化しており、世界的に温室効果ガス（二酸化炭素やメタン等）の排出量の削減が急務とされている。その１つの方策として、各家庭における省エネルギーの取り組みがある。そこで、本発明者らは、各家庭にエネルギー効率が高い潜熱回収型の熱源機を普及させて、温室効果ガスの排出を抑制することに注目した。
【０００３】
ここで、潜熱回収型の熱源機においては、燃焼ガスに含まれた水蒸気が、湯水や熱媒体と熱交換することによって温度が低下するため、その水蒸気は液化してドレンを発生する。また、燃焼によって、空気中の窒素と酸素とが反応し、窒素酸化物が生成されるため、熱交換器の表面側に発生したドレンが燃焼ガスに晒されることで、ドレンに窒素酸化物が溶け込み酸性（主に硝酸）を呈する。そのため、この種の熱源機には、酸性のドレンを中和する中和器が内蔵されており、発生したドレンは中和器で中和されてから外部に排水する構成とされている。即ち、潜熱回収型の熱源機を設置する場合は、熱源機の外部にドレンの排出系統が必要となる。
【０００４】
ところが、特にマンション等の集合住宅では、あらゆる系統の配管が収容された所謂パイプシャフトに熱源機が収められている場合が多く、そのような場合には新たにドレン排出用の流路を設けること自体が難しい場合がある。そのため、マンション等の集合住宅においては、潜熱回収型の熱源機を設置したいという使用者の希望に応じることが不可能な場合があった。
【０００５】
そこで、特許文献１、２では、既設の流路を用いてドレンを排出する熱源機が開示されている。即ち、特許文献１、２の熱源機では、既設の風呂追い焚き回路にドレン配管を接続してドレン排出系統を形成し、所定のタイミングをもって中和済みドレンを風呂追い焚き回路に流し、一旦、浴槽や浴槽パンに排出してから排水口等に排水するドレン排出システムを備えている。
【先行技術文献】
【特許文献】
【０００６】
【特許文献１】特開２００６−３００４８１号公報
【特許文献２】特開２００７−１０１０７５号公報
【発明の概要】
【発明が解決しようとする課題】
【０００７】
しかしながら、特許文献１では、一時的であれ、浴槽内にドレンを流すため、その浴槽を使用する入浴者の心情としては良いものではない。また、それに対して、特許文献２では、浴槽パンに排出されるため、ドレンの排出が直接的に入浴者の心情を害することはないが、通常、浴槽パンは浴槽エプロン等によりほぼ閉塞された領域にあるため、ドレン等の汚水に混入した汚れが溜まり易く、また湿気によるカビの増殖も発生し易い。そのため、特許文献２のように、浴槽パンにドレンを排出する構成であれば、浴槽パンにおける衛生環境が悪化して悪臭が発生し、結果的に浴室環境を害してしまう懸念がある。
【０００８】
また、最近では、浴槽パンを備えていない風呂設備がある。
この種の風呂設備が既に設置している状況において、新たに潜熱回収型の熱源機を設置する場合、ドレンを一旦、浴室の洗い場に排出して、浴室の排水口から排水するドレン排出システムが考えられる。
しかしながら、このような方策を採用した場合、大掛かりな工事が必要となり、費用が嵩むため避けたい。さらに、熱源機と繋がったドレン排出口が、浴室において視認されてしまうため、浴室の意匠を害してしまうという懸念がある。
【０００９】
そこで、本発明では、従来技術の問題に鑑み、潜熱回収型の熱源機を取り替える場合に、ドレン排出系統を形成するために大掛かりな工事を要することなく、さらにドレンの排出及びドレン排出系統の設置により、浴室環境を害することがないドレン排出システムを提供することを目的とする。
【課題を解決するための手段】
【００１０】
上記課題を解決するため、請求項１に記載の発明は、主に燃焼ガスの潜熱を回収する熱交換器で発生したドレンを浴室側に流して排出するドレン排出システムであって、浴室側にドレンを流すドレン配管と、前記ドレン配管を浴室側で接続する配管接続手段とを有し、前記浴室は、湯水を貯留可能な浴槽を有し、当該浴槽内に貯留された湯水は浴槽排水口から排水系統を介して排水されるものであって、前記配管接続手段は、浴槽排水口よりも湯水の流れ方向下流側の前記排水系統に接続されており、ドレン配管を流れるドレンを前記排水系統に流すものであることを特徴とするドレン排出システムである。
【００１１】
本発明のドレン排出システムは、マンション等の集合住宅において、既存の熱源機に替えて、エネルギー効率が高い潜熱回収型の熱交換器を備えた熱源機を設置する場合に有効なシステムである。即ち、浴室側にドレン配管と接続される配管接続手段を配し、その配管接続手段を浴槽排水口よりも湯水の流れ方向下流側の排水系統に配して、ドレンを確実に排出するためのシステムを構築できる。具体的には、本発明では、配管接続手段により、ドレン配管を通過するドレンを直接的に浴槽排水口の下流側であって、湯水が流れる排水系統に排水することができるため、ドレン配管から排出されるドレンが原因で、浴室内において悪臭が発生するなどの浴室環境の不具合が起き得ない。
【００１２】
また、本発明では、ドレン配管を浴室まで延長して、浴槽排水口の下流側に配した配管接続手段に接続することでドレンを排出するシステムを構築できるため、大掛かりな工事を要さない。即ち、ドレンを排出する流路を形成するために要する費用が必要以上に嵩むことが防止される。
従って、本発明によれば、潜熱回収型の熱源機を取り替える場合に、大掛かりな工事を要することなく、さらにドレンの排出により、浴室環境を害することがない。また、ドレンを排出する流路が、浴室内において視認できる位置から外れるため、意匠の観点からも浴室環境を害することがない。
【００１３】
請求項２に記載の発明は、前記浴槽排水口は、排水栓によって湯水の通過が制限され、前記排水栓は、湯水の流れ方向下流側から力を伝動する排水栓移動手段によって浴槽排水口を開閉可能なものであって、前記配管接続手段は、浴槽排水口を通過した湯水を前記合流部側に導く流路と、前記流路に連通した少なくとも２つの連通部を有し、前記連通部のうち、いずれか１つは排水栓移動手段が挿通される開口としての機能を果たすものであって、別の１つの連通部をドレン配管が接続されるドレン用の接続部として利用することができることを特徴とする請求項１に記載のドレン排出システムである。
【００１４】
かかる構成によれば、配管接続手段として、排水栓移動手段が挿通される連通孔を備えた所謂公知の排水クロスを採用することができる。
ここで、排水クロスとは、一般的に、浴槽排水口と接続される浴槽側導入口と、浴槽側導入口から導入された湯水を下流に導くクロス内流路と、クロス内流路を通過した湯水を排水クロスよりもさらに下流側に排出する排出側吐出口と、外部とクロス内流路とを連通する１つ以上の連通孔を備えたものであり、浴槽に配された排水栓に対して浴槽排水口の下流側から力を伝動することを可能にするものである。即ち、排水クロスにおいては、連通孔と浴槽側導入口と浴槽排水口は、一連して連通した関係であり、その連通孔から浴槽側導入口と浴槽排水口に排水栓移動手段を挿通して、その排水栓移動手段と排水栓とを接続することで、排水栓に対して浴槽排水口の下流側から力を伝動することを可能としている。これにより、浴槽排水口の開閉状態を切り替えることが可能となる。
また、汎用性がある排水クロスは、使用者の希望に添えるように２つ以上の連通孔が設けられており、排水栓移動手段の設置位置に自由度を持たせている。そして、実際には、いずれか１つの連通孔にのみ排水栓移動手段が挿通されるものである。
従って、本発明によれば、既存の浴室において、例えば、２つの連通孔を有した排水クロスが備えられていれば、使用されていない連通孔にドレン配管を接続すれば、ドレンを確実且つ直接的に浴槽排水口より下流側に排出することができる。これにより、本発明では、ドレン排出システムを構築しても、費用が増加することが殆どない。
【００１５】
請求項３に記載の発明は、ドレン配管は逆流阻止手段を有し、逆流阻止手段は、ドレン配管の中途又はドレン配管と配管接続手段との間に配されるものであって、ドレン又は湯水がドレンの流れ方向下流側から上流側に向かって流れることを阻止するものであることを特徴とする請求項１又は２に記載のドレン排出システムである。
【００１６】
かかる構成によれば、ドレンが流れる流路に逆流阻止手段が配されているため、配管接続手段又は配管接続手段より下流側で毛髪やゴミなどにより「詰まり」が発生したとしても、湯水やドレンがドレン配管内を逆流してくるような不具合が発生しない。これにより、潜熱回収型の熱交換器を備えた熱源機が、エラーを検知して燃焼動作を停止してしまう等の不具合が発生することを阻止することができる。
【発明の効果】
【００１７】
本発明のドレン排出システムでは、配管接続手段を浴室の浴槽排水口又は洗い場排水口の下流側に配し、その配管接続手段にドレン配管を接続したため、浴室環境を害することなくドレンを確実に排出することができる。また、大掛かりな工事を要さないため、必要以上に費用が嵩むことがない。
【図面の簡単な説明】
【００１８】
【図１】本発明の実施形態に係るドレン排出システムを機能させることが可能な潜熱回収型の二次熱交換器を備えた熱源機を示す作動原理図である。
【図２】実体の排水クロスを浴室に設置した状況を示す斜視図である。
【図３】図２の排水クロスのクロス内流路を示す概念図である。
【図４】図２の排水クロスを示す分解斜視図である。
【図５】図４に示す排水側アダプタを別の角度から見た斜視図である。
【図６】排水栓可動用ワイヤの取り付け状況を示す断面の概念図である。
【図７】排水クロスの変形例を示す斜視図である。
【図８】排水クロスの別の変形例を示す斜視図である。
【図９】ドレン排出システムを機能させることが可能なドレン排出系統の変形例を示す作動原理図である。
【図１０】ドレン排出システムを機能させることが可能な別の変形例を示す作動原理図である。
【図１１】逆流阻止手段の変形例を示す説明図である。
【発明を実施するための形態】
【００１９】
以下に、本発明の実施形態に係るドレン排出システムについて説明する。
本実施形態に係るドレン排出システムは、図１に示すように、潜熱回収型の二次熱交換器１０ｂ、１１ｂから発生するドレンを、浴室４の排水口に直接的に排出するドレン排出系統２３を備えたシステムである。即ち、本実施形態では、ドレン排出系統２３が二次熱交換器１０ｂ、１１ｂを備えた熱源機１と浴室４に渡って設けられた構成とされている。
【００２０】
まず、熱源機１について説明する。なお、図１における作動原理図の構成は、従来より公知のものであるため、簡単に説明する。
熱源機１は、図１に示すように、燃料ガスを燃料として燃焼する燃焼装置７と、その燃焼装置７に内蔵された追い焚き用熱交換器１０及び給湯用熱交換器１１と、給湯用回路２０と、追い焚き用回路２１とを有している。
【００２１】
燃焼装置７は、複数のバーナ１２を内蔵している。そして、各系統毎に電磁弁１４が設けられており、各系統毎に燃料ガスの供給を断続することができる。また、缶体８の内側下部（空気の流れ方向上流側）には、主に燃料ガスと混合される空気を送風する送風機１６が取り付けられている。
また、缶体８の外側であって、電磁弁１４の燃料ガスの流れ方向上流側には、ガス比例弁１５が設けられており、各バーナ１２に供給する燃料ガスの量を制御することができる。
【００２２】
給湯用回路２０では、給湯用熱交換器１１を通過する高温湯流路２６を流れる高温の湯にバイパス流路２７を流れる冷水を混合して、所望の温度の湯水に調整し、図示しない給湯栓から適温の湯水を供給する。また、給湯用回路２０は、追い焚き用回路２１と接続されている。
【００２３】
追い焚き用回路２１は、浴槽５を含む循環回路１９を形成するものであり、浴槽５側から熱源機１の追い焚き用熱交換器１０に湯水を戻す風呂戻り流路３０と、追い焚き用熱交換器１０側から浴槽５側に湯水を送り出す風呂往き流路３１を備えている。なお、風呂戻り流路３０の中途には、風呂ポンプ３２が設けられている。
【００２４】
また、追い焚き用熱交換器１０及び給湯用熱交換器１１は、主に燃焼ガスの顕熱を回収する顕熱回収型の一次熱交換器１０ａ、１１ａと、一次熱交換器１０ａ、１１ａよりも湯水の流れ方向上流側に位置し主に燃焼ガスの潜熱を回収する潜熱回収型の二次熱交換器１０ｂ、１１ｂを有している。より具体的には、缶体８内部の左側の追い焚き用熱交換器１０は、燃焼ガスの流れ方向上流側から一次熱交換器１０ａ、二次熱交換器１０ｂが配されており、缶体８内部の右側の給湯用熱交換器１１は、燃焼ガスの流れ方向上流側から一次熱交換器１１ａ、二次熱交換器１１ｂが配されている。なお、顕熱回収型の熱交換器は、フィン付の銅管で形成されており、潜熱回収型の熱交換器はステンレス製の裸管で形成されている。
【００２５】
また、二次熱交換器１０ｂ、１１ｂでは、燃焼ガスに含まれている水蒸気の潜熱が回収されると、その水蒸気が液化してドレンとなる。また、このドレンは、酸性を呈するため、中和してから排水する必要性がある。従って、本実施形態で採用される熱源機１においては、二次熱交換器１０ｂ、１１ｂで発生したドレンを排水するためのドレン排出系統２３の一部が形成されている。
【００２６】
即ち、熱源機１におけるドレン排出系統２３は、流路の中途に中和剤（炭酸カルシウム等）が充填された公知の中和器２９と、中和器２９で中和されたドレンが一時的に貯留される公知のドレンタンク５７と、ドレンタンク５７の下流に接続された熱源側ドレン配管１７と、ドレンタンク５７に貯留されたドレンを熱源側ドレン配管１７に排出可能なドレン排出ポンプ５８とが設けられている。
【００２７】
即ち、熱源機１で発生したドレンは、中和器２９で中和されて、一旦ドレンタンク５７に貯留され、ドレンタンク５７内の水位が、一定以上に達すれば、ドレン排出ポンプ５８が起動され、ドレンタンク５７内のドレンがドレン配管１７側に排出される。
【００２８】
ところで、熱源機１の設置が制限される環境下においては、ドレンの排水箇所を確保することが不可能な場合がある。即ち、先にも説明したように、集合住宅などにおいては、例えば、パイプシャフト等に熱源機１が設置されるため、熱源側ドレン配管１７から排出されるドレンを外部に排水させることができない場合がある。
【００２９】
そこで、本実施形態では、熱源側ドレン配管１７に延長ドレン配管１８を接続して、熱源機１で発生したドレンを浴室４側に排出する構成とした。具体的には、本実施形態のドレン排出システムでは、排水クロス（配管接続手段）３を有効的に利用して、ドレン排出系統２３を形成している。
なお、排水クロス３とは、公知のそれと同様であり、浴槽５の排水を制限可能な排水栓５５に対して、浴槽排水口５３の下流側から力を伝動させて、排水栓５５を浴槽排水口５３に対して開閉可能とするものである。
【００３０】
以下に、本実施形態において採用される排水クロス３について説明する。なお、以下の説明においては、特に断りがない限り、上下左右の関係は、図２を基準とする。
本実施形態において採用された排水クロス３は、図２に示すように、浴槽５の下部に配され、図示しない浴槽エプロンで遮蔽されたほぼ密閉された空間に設置されるもので、浴槽５の浴槽排水口５３と連通するように取り付けられる導入側アダプタ３３と、浴室４に設けられ図示しない外部の下水配管等と連通した浴槽側排出部５０に接続される排出側アダプタ３４とで構成されている。即ち、排水クロス３は、導入側アダプタ３３と排出側アダプタ３４とが所定の接続手段５１により、一体的に接続されることで接続部がほぼシーリングされると共に、内部に湯水が流れるクロス内流路４０（図３）が形成され、そのクロス内流路４０を介して浴槽側排出部５０に排出され図示しない排水系統に排水することができる。
なお、接続手段５１は、２部材のものを互いに接続できるものであればいかなるものであっても構わない。
【００３１】
導入側アダプタ３３は、図３、４に示すように、内部にクロス内流路４０の一部（導入側流路４３）が形成された継ぎ手部材で、浴槽５から排水された湯水を垂直方向から水平方向に「Ｌ」字状に流すものである。即ち、導入側アダプタ３３は、導入側アダプタ本体３３ａに浴槽５から排水された湯水が最初に導入される浴槽側導入口４１と、導入側流路４３を通過した湯水を排出側アダプタ３４側に吐出する浴槽側吐出口４２とを有している。
またさらに、本実施形態における導入側アダプタ３３は、図６に示すように、排水栓５５に力を伝動する排水栓可動用ワイヤ（排水栓移動手段）５６が挿通される接続部が２つ（接続部３５、３６）設けられている。なお、排水栓可動用ワイヤ５６は、公知のそれと同様であり、本発明に直接的に関係するものではないため、具体的な説明を省略する。
【００３２】
浴槽側導入口４１は、導入側アダプタ本体３３ａの上部に配されて垂直方向上向きに開放された円形の開口であり、導入側流路４３の上流側端部でもある。即ち、浴槽側導入口４１から導入された湯水は、導入側流路４３に沿って垂直方向下向きに流れる。
浴槽側吐出口４２は、導入側アダプタ本体３３ａの側部に配されて水平方向に開放された方形の開口であり、導入側流路４３の下流側端部（浴槽側導入口４１とは異なる端部）でもある。即ち、導入側流路４３に沿って水平方向に流れる湯水は、浴槽側吐出口４２から吐出されて排出側アダプタ３４側に導入される。
【００３３】
接続部３５、３６は、導入側アダプタ本体３３ａの側部に配されたチューブ状の部位で、導入側流路４３に対して水平方向に連通した貫通孔（連通部）４７、４８を有している。具体的には、接続部３５、３６は、導入側流路４３における水平方向に延びた流路と同一の高さを共有しつつも、貫通孔４７、４８の延伸方向が異なる。より具体的には、一方の接続部３５における貫通孔４７の延伸方向は、導入側流路４３における水平方向流路の延伸方向を基準に、時計回りに２０〜３０度ずれており、他方の接続部３６における貫通孔４８の延伸方向は、導入側流路４３における水平方向流路の延伸方向を基準に、反時計回りに２０〜３０度ずれている。そして、接続部３５、３６は、基端側において、導入側流路４３における垂直方向に延びた流路の中途で接続されている。即ち、本実施形態では、接続部３５、３６は、浴槽５から排水される湯水がほぼ流入することがない配置である。
【００３４】
また、本実施形態の特徴的構成として、２つの接続部３５、３６のうちの一方の接続部３５を、本来の目的である排水栓可動用ワイヤ５６を挿通する開口として利用し、他方の接続部３６をドレン排出系統２３の一部を形成するドレン用流路として利用する。即ち、他方の接続部３６には、ドレン排出系統２３の一部を形成する延長ドレン配管１８が接続される。これにより、二次熱交換器１０ｂ、１１ｂにおいて発生したドレンは、熱源側ドレン配管１７と延長ドレン配管１８を通過して、接続部３６を介して、クロス内流路４０に導入される。
【００３５】
排出側アダプタ３４は、図３〜５に示すように、内部にクロス内流路４０の一部（排出側流路４４）が形成された継ぎ手部材で、導入側アダプタ３３から吐出された湯水を水平方向から鉛直方向に逆「Ｌ」字状に流すものである。即ち、排出側アダプタ３４は、排出側アダプタ本体３４ａに導入側アダプタ３３から吐出された湯水が最初に導入される排出側導入口４５と、排出側流路４４を通過した湯水をさらに下流の浴槽側排出部５０に排出する排出側吐出口４６とを有している。
【００３６】
排出側導入口４５は、排出側アダプタ本体３４ａの側部に配されて水平方向に開放された方形の開口であり、排出側流路４４の上流側端部でもある。即ち、排出側導入口４５は、導入側吐出口４２と連通するように接続され、導入側吐出口４２から吐出された湯水が流入する開口であり、排出側導入口４５から導入された湯水は排出側流路４４に沿って水平方向に流れる。なお、排出側導入口４５の内径は、浴槽側吐出口４２の外径とほぼ同じあるいは若干大きく設計されている。即ち、導入側アダプタ３３と排出側アダプタ３４は、排出側導入口４５に浴槽側吐出口４２が嵌り込んだ状態で接続される。
排出側吐出口４６は、排出側アダプタ本体３４ａの下部に配されて鉛直方向下向きに開放された円形の開口であり、排出側流路４４の端部（排出側導入口４５とは異なる端部）でもある。即ち、排出側流路４４に沿って鉛直方向下向きに流れる湯水は、排出側吐出口４６から吐出されて浴槽側排出部５０に排出される。
【００３７】
従って、本実施形態では、１つの接続部３６に延長ドレン配管１８を接続して、ドレン排出系統２３を形成する構成としたため、熱源側ドレン配管１７と延長ドレン配管１８を流れたドレンは、接続部３６から排水クロス３に導入される。そして、接続部３６を介して排水クロス３に導入されたドレンは、導入側流路４３に流入され、排出側流路４４を通過して、浴槽側排水部５０に排出される。即ち、本実施形態によれば、排水クロス３により、浴槽５から排水された湯水に加えて、ドレンまでも浴槽側排水部５０に直接的に排出することができる。
【００３８】
また、本実施形態では、延長ドレン配管１８の中途に、逆止弁（逆流阻止手段）３９を設けている。そのため、排水クロス３内や、排水クロス３よりも下流側で「詰まり」が生じた場合であっても、排水された湯水やドレンが延長ドレン配管１８側に逆流する不具合が発生しない。
【００３９】
上記実施形態では、２つ接続部３５、３６を有した排水クロス３を用いてドレン排出系統２３を形成する構成を示したが、本発明はこれに限らず、例えば、元々１つの接続部３５しか有さない排水クロス６０に延長ドレン配管１８を接続する構成であっても構わない。その場合、図７に示すように、排水クロス６０のいずれかの位置にクロス内流路６１と連通する貫通孔（連通部）６２を形成し、その貫通孔６２にドレンが導入されるように延長ドレン配管１８を接続すればよい。
また、排水クロス６０に延長ドレン配管１８を接続する構成ではなく、例えば、図８に示すように、浴槽側排水部５０に何らかの配管接続手段（例えば、上方に立設したチューブ状のもの）を設け、その配管接続手段に延長ドレン配管１８を接続する構成であっても構わない。これにより、延長ドレン配管１８から流れてきたドレンを、配管接続手段を介して、図示しない排水系統に排水することができる。
【００４０】
また、上記実施形態では、浴槽排水口５３から浴槽側排水部５０を含めた浴槽側排水部５０までに延長ドレン配管１８を接続した構成を示したが、本発明はこれに限定されず、浴室４の洗い場側に設けられた図示しない洗い場側排水口よりも湯水の流れ方向下流側の流路に延長ドレン配管１８を接続した構成であっても構わない。要するに、浴槽排水口５３又は洗い場側排水口より湯水の流れ方向下流側であればよいが、メンテナンス等の作業性を考慮すれば、浴槽排水口５３と洗い場側排水口の双方から排水される湯水が合流する位置までの間に延長ドレン配管１８を接続することが望ましい。
【００４１】
上記実施形態では、延長ドレン配管１８を熱源側ドレン配管１７に直接接続してドレン排出系統２３を形成する構成を示したが、本発明はこれに限定されず、熱源側ドレン配管１７と延長ドレン配管１８を間接的に接続した構成であっても構わない。
例えば、追い焚き用回路２１の一部に二重管を設け、その二重管の一方の流路に熱源側ドレン配管１７と延長ドレン配管１８を接続することにより、上記実施形態と同様の作用効果を得ることができる。即ち、図９に示すように、風呂往き流路３１の一部の区間に二重管を設け、その区間の流路の端部に分岐継ぎ手６５、６６を設け、それぞれの分岐継ぎ手６５、６６に熱源側ドレン配管１７又は延長ドレン配管１８を接続する。より具体的には、上流側の分岐継ぎ手６５には熱源側ドレン配管１７を接続し、下流側の分岐継ぎ手６６には延長ドレン配管１８を接続する。そして、延長ドレン配管１８の下流側端部を排水クロス等の配管接続手段に接続する。これにより、上記実施形態と同様、浴室４に配された浴槽排水口５３又は洗い場側排水口より下流側にドレンを排出することができる。そしてさらに、この構成によれば、ドレン排出系統の一部の区間の配管手間が省かれるため、上記実施形態よりも設置工事の作業効率を向上させることができる。
【００４２】
また、二重管を設けず、三方弁６７、６８を用いて追い焚き用回路２１を利用することにより、前記した構成と同様の作用効果を得ることができる。即ち、図１０に示すように、風呂戻り流路３０に配された風呂ポンプ３２よりも上流側に１つの三方弁６７を配して、その三方弁６７に熱源側ドレン配管１７を接続すると共に、風呂往き流路３１に１つの三方弁６８を配して、その三方弁６８に延長ドレン配管１８を接続する。また、この構成によれば、風呂ポンプ３２の駆動により、熱源側ドレン配管１７におけるドレンを追い焚き用回路２１側に流すことが可能であるため、熱源側ドレン配管１７に配されたドレン排出ポンプ５８を省略することができる。そして、延長ドレン配管１８の下流側端部を排水クロス等の配管接続手段に接続する。これにより、上記実施形態と同様、浴室４に配された浴槽排水口５３又は洗い場側排水口より下流側にドレンを排出することができる。
【００４３】
また、上記実施形態では、延長ドレン配管１８の中途に逆止弁３９を設けた構成を示したが、本発明はこれに限定されず、例えば、図１１に示すように、延長ドレン配管１８と配管接続手段（排水クロス３等）との間に上部が開放されたタンク６９を配し、そのタンク６９を介して、配管接続手段にドレンを排出する構成であっても構わない。要するに、延長ドレン配管１８側に湯水やドレンが逆流しない構成であればいかなる機器を用いても構わない。
【符号の説明】
【００４４】
３    排水クロス（配管接続手段）
４    浴室
５    浴槽
１７    熱源側ドレン配管（ドレン配管）
１８    延長ドレン配管（ドレン配管）
３９    逆止弁（逆流阻止手段）
４０、６１    クロス内流路
４７、４８、６２    貫通孔（連通孔）
５３    浴槽排水口
５５    排水栓
５６    排水栓可動用ワイヤ（排水栓移動手段）
６９    タンク（逆流阻止手段）
【図１】
2012072922.tif 000003
【図２】
2012072922.tif 000004
【図３】
2012072922.tif 000005
【図４】
2012072922.tif 000006
【図５】
2012072922.tif 000007
【図６】
2012072922.tif 000008
【図７】
2012072922.tif 000009
【図８】
2012072922.tif 000010
【図９】
2012072922.tif 000011
【図１０】
2012072922.tif 000012
【図１１】
2012072922.tif 000013